(57)【特許請求の範囲】
【請求項１】
複数の静止画像信号を再生するディジタルカメラと再生された前記複数の静止画像信号を記録するＶＴＲとを備える画像記録システムにおいて、
前記ディジタルカメラは録画指令信号を出力する出力手段、および前記複数の静止画像信号のそれぞれを第１所定期間継続して再生する再生手段を含み、
前記ＶＴＲは前記録画指令信号に応じて前記複数の静止画像信号を記録する記録手段を含み、
前記再生手段は最初の前記静止画像信号を前記録画指令信号の出力に応じて前記第１所定期間よりも長い第２所定期間再生するようにしたことを特徴とする、画像記録システム。
【請求項２】
前記記録手段は前記録画指令信号に応じてビデオテープのローディングを開始する、請求項１記載の画像記録システム。
【請求項３】
前記ディジタルカメラは前記第１所定期間を設定する期間設定手段をさらに備える、請求項１または２記載の画像記録システム。
【請求項４】
前記ディジタルカメラは前記静止画像信号の再生順序を設定する再生順序設定手段をさらに備える、請求項１ないし３のいずれかに記載の画像記録システム。
【請求項５】
複数の静止画像信号を再生するディジタルカメラと前記複数の静止画像信号を記録するＶＴＲとを備える画像記録システムにおいて、
前記ＶＴＲは再生許可信号を出力する第１出力手段、および画像切換信号を出力する第２出力手段を含み、
前記ディジタルカメラは前記再生許可信号に応じていずれかの静止画像信号を再生する再生手段、および前記画像切換信号に応じて再生する前記静止画像信号を切り換える切換手段を含む、画像記録システム。
【請求項６】
前記第２出力手段は所定期間毎に前記画像切換信号を出力し、
前記再生手段は次の前記画像切換信号が入力されるまで同一の前記静止画像信号の再生を継続する、請求項５記載の画像記録システム。
【請求項７】
前記ＶＴＲは前記所定期間を設定する期間設定手段をさらに備える、請求項５または６記載の画像記録システム。
【発明の詳細な説明】
【０００１】
【産業上の利用分野】
この発明は画像記録システムに関し、特にたとえばディジタルカメラから再生された静止画像信号をＶＴＲによってビデオテープに記録する、画像記録システムに関する。
【０００２】
【従来の技術】
従来、ディジタルカメラに格納された静止画像信号をビデオテープに記録するには、ＶＴＲを録画モードにセットし、静止画像信号を１枚ずつＶＴＲに出力する必要があった。
【０００３】
【発明が解決しようとする課題】
すなわち、ディジタルカメラで撮影した静止画像信号をビデオテープに記録するには、オペレータの手動による操作が必要であり、全ての静止画像のダビングが完了するまで、オペレータが拘束されていた。
それゆえに、この発明の主たる目的は、オペレータが煩わしい操作をすることなく静止画像をダビングできる、画像記録システムを提供することである。
【０００４】
【課題を解決するための手段】
第１の発明は、複数の静止画像信号を再生するディジタルカメラと再生された複数の静止画像信号を記録するＶＴＲとを備える画像記録システムにおいて、ディジタルカメラは録画指令信号を出力する出力手段、および複数の静止画像信号のそれぞれを第１所定期間継続して再生する再生手段を含み、ＶＴＲは録画指令信号に応じて複数の静止画像信号を記録する記録手段を含み、再生手段は最初の静止画像信号を録画指令信号の出力に応じて第１所定期間よりも長い第２所定期間再生するようにしたことを特徴とする、画像記録システムである。
【０００５】
第２の発明は、複数の静止画像信号を再生するディジタルカメラと複数の静止画像信号を記録するＶＴＲとを備える画像記録システムにおいて、ＶＴＲは再生許可信号を出力する第１出力手段、および画像切換信号を出力する第２出力手段を含み、ディジタルカメラは再生許可信号に応じていずれかの静止画像信号を再生する再生手段、および画像切換信号に応じて再生する静止画像信号を切り換える切換手段を含む、画像記録システムである。
【０００６】
【作用】
第１の発明では、ディジタルカメラの再生ボタンが押されると、ディジタルカメラの出力手段からＶＴＲに録画指令信号が出力される。再生手段は、複数の静止画像信号のそれぞれを第１所定期間継続して再生する。ＶＴＲでは、録画指令信号に応じて記録手段がビデオテープのローディングを開始する。したがって、再生手段は最初の静止画像信号を第１所定期間よりも長い第２所定期間再生する。また、ディジタルカメラでは、期間設定手段で第１所定期間が設定され、再生順序設定手段で静止画像信号の再生順序が設定される。したがって、設定された再生順序で静止画像信号がＶＴＲによってビデオテープに記録される。
【０００７】
第２の発明では、ＶＴＲの記録ボタンが押されると、ディジタルカメラに第１出力手段から再生許可信号が出力され、第２出力手段から出力切換信号が出力される。つまり、出力許可信号に従ってディジタルカメラは静止画像信号を再生し、出力切換信号に従って複数の静止画像信号が所定間隔毎に切り換えられる。また、期間設定手段で所定期間を設定することができ、所定期間毎に切り換えられた静止画像信号がビデオテープに記録される。
【０００８】
【発明の効果】
これらの発明によれば、ディジタルカメラまたはＶＴＲのいずれか一方の指示に従って、ディジタルカメラに格納された静止画像信号がビデオテープに記録されるので、オペレータが煩わしい操作をすることなく静止画像をダビングすることができる。
【０００９】
この発明の上述の目的，その他の目的，特徴および利点は、図面を参照して行う以下の実施例の詳細な説明から一層明らかとなろう。
【００１０】
【実施例】
図１を参照して、この実施例の画像記録システム１０は、ディジタルスチルカメラ（ＤＳＣ）１２およびＶＴＲ１４を備える。ＤＳＣ１２は入力端子１６を含み、入力端子１６にはシャッタボタン（図示せず）の操作に応じて撮影された静止画像データ（以下、単に画像データという。）が与えられる。この画像データは、メモリ制御回路２０によってＶＲＡＭ１８のメモリエリア１８ａに一旦記録される。ＣＰＵ２２は、メモリエリア１８ａに記録された画像データをワークエリア１８ｃを用いてＪＰＥＧフォーマットに従って圧縮し、圧縮画像データをフラッシュメモリ３０に記録する。
【００１１】
再生時、ＣＰＵ２２はフラッシュメモリ３０から所望の圧縮画像データを読み出し、ワークエリア１８ｃを用いてＪＰＥＧフォーマットで伸長する。伸長された画像データは、メモリエリア１８ａまたは１８ｂに格納される。メモリ制御回路２０は、メモリエリア１８ａまたは１８ｂからインタレーススキャンによって２フィールド分の画像データを読み出し、信号処理回路３４に与える。信号処理回路３４は、色分離回路やマトリクス回路を含み、ＶＲＡＭ１８から出力された画像データを輝度データおよび色データに変換する。信号処理回路３４から出力される輝度データおよび色データは、Ｄ／Ａ変換器３６によってアナログ輝度信号および色信号に変換される。Ｄ／Ａ変換器３６からの輝度信号および色信号は、ＬＣＤ２８に与えられ、または、ＮＴＳＣエンコーダ３８を介して出力端子３２に与えられる。ＮＴＳＣエンコーダ３８は、Ｄ／Ａ変換器３６からの輝度信号および色信号をＮＴＳＣフォーマットのコンポジット信号に変換する。
【００１２】
画像データを連続して再生する場合には、たとえば１番目の圧縮画像データはワークエリア１８ｃを用いて伸長され、伸長画像データはメモリエリア１８ａに格納される。メモリエリア１８ａに格納された画像データはその後、メモリ制御回路２０によって読み出される。画像データの読み出し時間はＮ秒間（第１所定期間）であり、２番目の圧縮画像データはこのＮ秒の間に読み出され、ワークエリア１８ｃを用いて伸長される。一番目の画像データはメモリエリア１８ａに格納され、かつその読み出しが行なわれている最中であるため、２番目の伸長画像データはメモリエリア１８ｂに格納される。１番目の画像データの読み出しが終了すると、すなわちＮ秒間経過すると、２番目の画像データがメモリ制御回路２０によってメモリエリア１８ｂから読み出される。２番目の画像データが読み出されている間（Ｎ秒間）に、フラッシュメモリ３０から３番目の圧縮画像データが読み出され、上述と同じ要領で伸長される。そして今度は、メモリエリア１８ａに格納される。このように、メモリ制御回路２０は、メモリエリア１８ａまたは１８ｂに書き込まれた画像データを交互に読み出す。Ｎ秒を圧縮画像データの伸長に要する時間よりも長く設定することによって、再生画像をＬＣＤに連続表示したり、再生画像のコンポジット信号を出力端子３２から出力することができる。
【００１３】
それぞれの画像データの再生時間（Ｎ秒間）および再生順序は、メニューで設定される。この実施例では、各記録画像は時系列順または任意選択順に再生される。たとえば、メニューボタン４０が押されると、システムコントローラ５０がメニュー画面表示を指示する制御信号をＣＰＵ２２に設けられた割込端子２２ａに与える。したがって、ＣＰＵ２２は、ＬＣＤ２８に図２（Ａ）に示すメニュー画面を表示し、まず、画像出力間隔の項目にカーソルが表示される。アップボタン４２またはダウンボタン４４の操作に応答して、Ｎの値が１から６０の間で変化し、たとえば、“５”が表示されたときに設定ボタン４６を押すと、画像出力間隔が５秒に設定される。なお、Ｎの初期値は“３０”に設定される。
【００１４】
画像出力間隔の設定が終了すると、カーソルは時系列順の項目に移動する。アップボタン４２またはダウンボタン４４を押すことによって、オン／オフの表示が切り換えられ、所望の表示状態で設定ボタン４６が押されると、その表示状態が設定される。ここで、“オン”が選択されると時系列順モードが設定され、次の任意選択順の項目は自動的に“オフ”に設定される。一方、時系列順モードが設定されない場合には、任意選択順の項目は自動的に“オン”に設定される。したがって、時系列順モードおよび任意選択順モードが同時に設定されるのは防止される。
【００１５】
任意選択順モードが設定されると、メニュー画面が図２（Ｂ）に示す画像の出力順設定画面に切り換えられる。この画面では、カーソルはいずれか１つの画像データ番号を指しており、アップボタン４２またはダウンボタン４４を操作することによってカーソルが移動する。所望の画像データ番号をカーソルが指しているときに、設定ボタン４６がおされると、その画像データ番号の右側に出力番号が表示される。なお、この実施例では、時系列順モードおよび任意選択順モードが同時に設定されないように、一方が“オン”されると他方を自動的に“オフ”するようにしているが、同時に選択された場合には、警告音を発したり、メニュー画面から抜けられないようにしてもよい。
【００１６】
一方、時系列順モードが設定された場合には、撮影した順に、すなわち画像データ番号の小さい順に画像データが出力される。なお、画像データが削除されたために、画像データ番号に対応する画像データがない場合には、その画像データ番号は飛ばされる。
ＶＴＲ１４は入力端子６０を含み、ＤＳＣ１２とＶＴＲ１４が接続されると、出力端子３２からのコンポジット信号が入力端子６０を介して映像信号処理回路６２に与えられる。映像信号処理回路６２では、コンポジット信号はＹ／Ｃ分離され、輝度信号と色信号とが個別に処理されてから、Ｙ／Ｃ混合される。Ｙ／Ｃ混合された信号が記録増幅回路６４で増幅され、ビデオヘッド６６を介してビデオテープ６８に記録される。また、ＶＴＲ１４は端子７０を含み、この端子７０がＤＳＣ１２に設けられた端子５２と接続される。ＤＳＣ１２のＣＰＵ２２は、端子５２および７０を介してＶＴＲ１４に設けられたマイコン７２に録画指令信号を与える。
【００１７】
マイコン７２は、ローディングモータ７４などのメカニズムを制御する。録画指令信号は通常ローレベルであるが、出力端子３２からコンポジット信号を出力する場合には、すなわち再生ボタン４８が押された場合には、ハイレベルになる。したがって、再生ボタン４８が押されると、図３に示すように、まず１番目の圧縮画像データがフラッシュメモリ３０から読み出される。１番目の圧縮画像データを読み出し、伸長した画像データを信号処理回路３４に出力するまでの時間（５秒）に、ＶＴＲ１４内においてビデオテープ６８がローディングされる。すなわち、１番目の画像データは、第１所定期間よりも長い第２所定期間（Ｎ＋５秒間）読み出される。さらに、１番目の画像データを出力するＮ秒の間に、２番目の圧縮画像データの伸長が実行される。
【００１８】
ＶＴＲ１４は、通常スタンバイ状態であり、すなわちマイコン７２のみに電源が付与された状態であり、電源スイッチがオンされると、マイコン７２の指示に従って各回路に電源が付与される。また、ＶＴＲ１４がスタンバイ状態のとき、ＤＳＣ１２から画像記録信号が与えられたときも、すなわち録画指令信号がハイレベルになったときも、マイコン７２は各回路に電源を付与する。そして、入力端子６０から与えられる再生画像を記録する。ＣＰＵ２２が全ての画像の再生を終了し、録画指令信号をローレベルにすると、マイコン７２はＶＴＲ１４をスタンバイ状態に戻す。このため、無駄な消費電力は削減される。
【００１９】
上述のような動作を、ＣＰＵ２２は図４に示すフロー図に従って処理する。また、マイコン７２は図５に示すフロー図に従って処理する。図４に示すように、ＤＳＣ１２の主電源がオンされると処理を開始し、オペレータの指示に従ってステップＳ１で画像出力間隔（Ｎ秒）を設定し、ステップＳ３で画像出力の順番を設定する。すなわち、時系列順モードまたは任意選択順モードのいずれか一方を設定し、任意選択順モードが設定された場合には、画像データの出力順序をメニューで設定する。続く、ステップＳ５では、再生ボタン４８が押されたかどうかを判断し、“ＮＯ”であればステップＳ５に戻るが、“ＹＥＳ”であればステップＳ７でハイレベルの録画指令信号を出力する。続く、ステップＳ９では、ハイレベルの録画指令信号を出力してから５秒経過したかどうかを判断する。ここで、“ＮＯ”であれば、ステップＳ９に戻るが、“ＹＥＳ”であれば、ステップＳ１１でｍ番目の画像データを出力する。続く、ステップＳ１３では、ステップＳ１で設定したＮ秒経過したかどうか判断する。ここで、“ＮＯ”であれば、ステップＳ１３に戻るが、“ＹＥＳ”であればステップＳ１５で出力画像データ番号（出力画像データ数）ｍに１を加算する。ステップＳ１７では、全ての画像データが出力されたかどうかを判断する。この実施例では、画像データの総数をＸとし、出力画像数ｍを用いてＸ−１＜ｍの不等式で全ての画像データが出力されたかどうかを判断する。なお、ステップＳ１５からわかるように、出力画像数ｍの初期値は２であるため、ステップＳ１７の不等式では、総数Ｘから１引いてある。ステップＳ１７で“ＮＯ”であれば、ステップＳ１１に戻るが、“ＹＥＳ”であれば、ステップＳ１９でローレベルの録画指令信号を出力し処理を終了する。
【００２０】
図５に示すように、マイコン７２はＶＴＲ１４本体に電源が付与されると、すなわちマイコン７２にのみ電源が付与されると処理を開始し、ステップＳ２１で録画指令信号がハイレベルかどうかを判断する。ここで、“ＮＯ”であればステップＳ２１に戻るが、“ＹＥＳ”であれば、ステップＳ２３で電源スイッチがオンかどうかを判断する。ステップＳ２３で“ＮＯ”であればステップＳ２５で電源スイッチをオンし、ステップＳ２７でビデオテープをローディングし、ステップＳ２９に進むが、“ＹＥＳ”であれば、そのままステップＳ２９に進む。ステップＳ２９では、ＤＳＣ１２から出力される画像データの記録を開始する。ステップＳ３１では、録画指令信号がローレベルかどうかを判断する。すなわち、全ての画像データが出力されたかどうかを判断する。ここで、“ＮＯ”であればステップＳ３１に戻るが、“ＹＥＳ”であればステップＳ３３で記録を終了し、ステップＳ３５でＶＴＲ１４本体をスタンバイ状態にして処理を終了する。
【００２１】
このように、マイコン７２は、ＣＰＵ２２から出力される録画指令信号のレベルに応じて画像データの記録を制御できる。したがって、ＤＳＣ１２からの指示に従ってＶＴＲ１４で全ての画像データがビデオテープ６８に記録される。
図６を参照して、他の実施例の画像記録システム１０は、ＶＴＲ１４からの指示に従ってＤＳＣ１２に記録された画像データをビデオテープ６８に記録できる以外は図１実施例の画像記録システムと同じであるため、重複した説明は省略する。
【００２２】
この画像記録システム１０では、メニュー設定ボタン（メニューボタン４０〜設定ボタン４６）および記録ボタン５４がＶＴＲ１４に設けられる。また、ＤＳＣ１２のＣＰＵ２２には端子８０および８２が設けられ、またＶＴＲ１４のマイコン７２には端子８４および８６が設けられる。ＤＳＣ１２とＶＴＲ１４とが接続されると、出力端子３２と端子６４とが接続され、端子８０と端子８４とが接続され、端子８２と端子８６とが接続される。したがって、ＣＰＵ２２とマイコン７２との間で制御信号の送受が可能である。なお、ＶＴＲ１４側でメニューを設定する場合には、メニュー画面はＶＴＲ１４に設けられた時刻などの表示画面（図示せず）に表示される。また、ＶＴＲ１４側では、画像データの出力期間（所定期間）のみ設定することができる。
【００２３】
たとえば、ＤＳＣ１２とＶＴＲ１４とが接続されると、マイコン７２から端子８４および端子８０を介して、再生許可信号が出力される。ＶＴＲ１４の記録ボタン５４が操作されると、再生許可信号は図７に示すようにＮ秒毎にローレベルからハイレベルになる。この実施例では、再生許可信号がローレベルからハイレベルになったとき、再生される画像が切り換えられる。
【００２４】
一方、ＣＰＵ２２からは、端子８２および端子８６を介して画像出力終了信号が出力され、画像出力終了信号は、図７に示すように、記録ボタン５４が押されるとローレベルとなり、全ての画像データが読み出されるとハイレベルとなる。したがって、全ての画像データが出力されると、ＣＰＵ２２からマイコン７２にハイレベルの出力終了信号が与えられ、マイコン７２はコンポジット信号の記録を終了する。
【００２５】
上述のような動作を、マイコン７２が図８に示すフロー図に従って処理する。また、ＣＰＵ２２は図９に示すフロー図に従って処理する。
図８に示すように、ＶＴＲ１４の電源スイッチがオンされると処理を開始し、オペレータの指示に従ってステップＳ４１で画像出力間隔（Ｎ秒）を設定する。続く、ステップＳ４３では、記録ボタン５４が押されたかどうかを判断する。ここで、“ＮＯ”であれば、ステップＳ４３に戻るが、“ＹＥＳ”であれば、ステップＳ４４で出力終了信号がローレベルかどうかを判断する。すなわち、ＤＳＣ１２で再生が実行されているかどうかを判断する。ここで、“ＹＥＳ”であれば、ステップＳ４５で記録を開始するが、“ＮＯ”であれば、ステップＳ４６で１０分経過したかどうかを判断する。ここで、“ＮＯ”であれば、ステップＳ４４に戻るが、“ＹＥＳ”であればステップＳ５３に進む。すなわち、記録ボタン５４が押されたにも拘わらず、ＤＳＣ１２で再生が実行されずに１０分経過した場合には、ＶＴＲ１４での記録は終了される。ステップＳ４７では、ハイレベルの再生許可信号を出力し、ステップＳ４９ではＮ秒経過したかどうかを判断する。ここで、“ＮＯ”であれば、ステップＳ４９に戻るが、“ＹＥＳ”であれば、ステップＳ５１で出力終了信号がハイレベルかどうかを判断する。ここで、“ＮＯ”であればステップＳ４７に戻るが、“ＹＥＳ”であれば、すなわちＤＳＣ１２は全ての画像データを出力した判断すると、ステップＳ５３で記録を終了し、処理を終了する。
【００２６】
図９に示すように、ＣＰＵ２２はＤＳＣ１２の主電源がオンされると処理を開始し、ステップＳ６０でローレベルの出力終了信号を出力する。続く、ステップＳ６１では、再生許可信号が立ち上がったか（ローレベルからハイレベルになったか）どうかを判断する。ここで、“ＮＯ”であれば、ステップＳ６１に戻るが、“ＹＥＳ”であれば、続くステップＳ６３で画像データを出力する。ステップＳ６５では出力画像データ数ｍを加算し、ステップＳ６７では、出力画像データ数ｍが総数Ｘよりも大きくなったかどうかを判断する。すなわち、全ての画像データを出力したかどうかを判断する。ここで、“ＮＯ”であれば、ステップＳ６１に戻るが、“ＹＥＳ”であれば、ステップＳ６９でハイレベルの出力終了信号を出力し、処理を終了する。
【００２７】
このように、ＣＰＵ２２はマイコン７２から出力される再生許可信号によって画像データを出力する。また、全ての画像データを出力すると、ＣＰＵ２２はハイレベルの出力終了信号をマイコン７２に出力する。したがって、ＶＴＲ１４からの指示に従ってＤＳＣ１２に格納された全ての画像データをビデオテープ６８に記録することができる。
【００２８】
これらの実施例によれば、ＤＳＣ１２またはＶＴＲ１４のいずれか一方を操作することによって、ＤＳＣ１２に格納された全ての画像データがビデオテープ６８に記録される。すなわち、オペレータが煩わしい操作をすることなく、静止画像をダビングすることができる。
なお、この実施例では、ＤＳＣ１２またはＶＴＲ１４にメニュー設定ボタン（メニューボタン４０〜設定ボタン４６）を設けるようにしたが、ＤＳＣ１２およびＶＴＲ１４の両方にメニュー設定ボタンを設けるようにしてもよい。
【図面の簡単な説明】
【図１】この発明の一実施例を示すブロック図である。
【図２】図１実施例でＬＣＤに表示されるメニュー画面を示す図解図である。
【図３】録画指令信号を示すタイミングチャートである。
【図４】図１実施例のＣＰＵの処理の一部を示すフロー図である。
【図５】図１実施例のマイコンの処理の一部を示すフロー図である。
【図６】この発明の他の実施例を示すブロック図である。
【図７】（Ａ）は出力終了信号を示すタイミングチャートであり、（Ｂ）は再生許可信号を示すタイミングチャートである。
【図８】図６実施例に示すマイコンの処理の一部を示すフロー図である。
【図９】図６実施例に示すＣＰＵの処理の一部を示すフロー図である。
【符号の説明】
１０  …画像記録システム
１２  …ＤＳＣ
１４  …ＶＴＲ
１８  …ＶＲＡＭ
２０  …メモリ制御回路
２２  …ＣＰＵ
３０  …フラッシュメモリ
６８  …ビデオテープ
７２  …マイコン
【図１】
0003599985.tif 000002
【図２】
0003599985.tif 000003
【図３】
0003599985.tif 000004
【図４】
0003599985.tif 000005
【図５】
0003599985.tif 000006
【図６】
0003599985.tif 000007
【図７】
0003599985.tif 000008
【図８】
0003599985.tif 000009
【図９】
0003599985.tif 000010